(57)【要約】  【課題】  コストアップを抑えられる光ピックアップを提供する。  【解決手段】  モノリシックレーザダイオード６と、モノリシックレーザダイオード６から射出される各レーザに対応する各受光部が一つの基板上に形成されるフォトディテクタとを備える光ピックアップであって、モノリシックレーザダイオード６が有する各発光点が各基準軸上に位置し、前記各発光点を含む各積層面に垂直な方向から各基準軸が、モノリシックレーザダイオード６が有する発光点における活性層に垂直方向の射出方向角度ずれの平均値の角度θAだけ活性層に垂直な方向に傾くようモノリシックレーザダイオード６が配置される。【選択図】      図３
2007058902.tif 000002
【特許請求の範囲】
【請求項１】
ステムと、該ステムの主面から突設される基台と、該基台上に配置されるサブマウント
と、該サブマウント上部に配置されるモノリシックレーザダイオードとを有するレーザダ
イオードと、前記モノリシックレーザダイオードから射出される各レーザに対応する各受
光部が一つの基板上に形成されるフォトディテクタとを備える光ピックアップであって、
前記基台が有する前記サブマウントが取り付けられる取り付け面は、前記ステムの主面
に垂直な軸に対して、前記モノリシックレーザダイオードが有する発光点における活性層
に垂直方向の射出方向角度ずれの平均値に対応した角度で傾くよう形成されており、
前記モノリシックレーザダイオードが有する各発光点が各基準軸上に位置し、各基準軸
と前記ステムの主面に垂直な軸とが略平行となるよう前記レーザダイオードが配置される
ことを特徴とする光ピックアップ。
【請求項２】
ステムと、該ステムの主面から略垂直に突設される基台と、該基台上に配置されるサブ
マウントと、該サブマウント上部に配置されるモノリシックレーザダイオードとを有する
レーザダイオードと、該レーザダイオードを挿入する孔を有するＬＤホルダと、前記モノ
リシックレーザダイオードから射出される各レーザに対応する各受光部が一つの基板上に
形成されるフォトディテクタとを備える光ピックアップであって、
前記ＬＤホルダが有する前記孔の中心を通る軸線が前記ＬＤホルダの上面および下面と
平行な軸から、前記モノリシックレーザダイオードが有する発光点における活性層に垂直
方向の射出方向角度ずれの平均値に対応した角度で傾くよう前記孔は形成されており、
前記モノリシックレーザダイオードが有する各発光点が各基準軸上に位置し、各基準軸
と前記ＬＤホルダの上面および下面と平行な軸とが略平行となるよう前記レーザダイオー
ドが挿入された前記ＬＤホルダが配置されることを特徴とする光ピックアップ。
【請求項３】
ステムと、該ステムの主面から略垂直に突設される基台と、該基台上に配置されるサブ
マウントと、該サブマウント上部に配置されるモノリシックレーザダイオードとを有する
レーザダイオードと、該レーザダイオードを挿入する孔と上面および下面に突設された突
起部とを有するＬＤホルダと、基部と該基部の両端から折り曲げられて形成される板片部
とを有するＬＤスプリングと、前記モノリシックレーザダイオードから射出される各レー
ザに対応する各受光部が一つの基板上に形成されるフォトディテクタとを備える光ピック
アップであって、
前記ＬＤホルダが有する前記孔の中心を通る軸線が前記ＬＤホルダの上面および下面と
略平行となるよう前記孔が形成され、
前記板片部は前記突起部がはまる孔を有し、前記板片部が各基準軸に略平行となるよう
前記ＬＤスプリングは配置され、
前記モノリシックレーザダイオードが有する各発光点が各基準軸上に位置し、前記各発
光点を含む各積層面に垂直な方向から各基準軸が、前記モノリシックレーザダイオードが
有する発光点における活性層に垂直方向の射出方向角度ずれの平均値の角度だけ活性層に
垂直な方向に傾くよう、前記突起部が前記板片部が有する孔にはまることで前記レーザダ
イオードが挿入された前記ＬＤホルダが前記ＬＤスプリングに固定されることを特徴とす
る光ピックアップ。
【請求項４】
ステムと、該ステムの主面から略垂直に突設される基台と、該基台上に配置されるサブ
マウントと、該サブマウント上部に配置されるモノリシックレーザダイオードとを有する
レーザダイオードと、該レーザダイオードを挿入する孔と上面および下面に突設された突
起部とを有するＬＤホルダと、基部と該基部の端部から略垂直に折り曲げられて形成され
る第一の板片部と第二の板片部とを有するＬＤスプリングと、該ＬＤスプリングが係止さ
れるベース部と、前記モノリシックレーザダイオードから射出される各レーザに対応する
各受光部が一つの基板上に形成されるフォトディテクタとを備える光ピックアップであっ
て、
前記ＬＤホルダが有する前記孔の中心を通る軸線が前記ＬＤホルダの上面および下面と
略平行となるよう前記孔が形成され、
前記第一の板片部および前記第二の板片部は前記突起部がはまる孔を有し、前記第一の
板片部と前記ＬＤホルダの上面および前記第二の板片部と前記ＬＤホルダの下面が略平行
となるよう、前記レーザダイオードが挿入された前記ＬＤホルダが前記ＬＤスプリングに
固定され、
前記ベース部は前記基部が当接される当て面を有し、該当て面は各基準軸に垂直な軸か
ら前記モノリシックレーザダイオードが有する発光点における活性層に垂直方向の射出方
向角度ずれの平均値に対応した角度で傾くよう形成され、
前記モノリシックレーザダイオードが有する各発光点が各基準軸上に位置するよう、前
記基部が前記当て面に当接され、前記レーザダイオードが挿入された前記ＬＤホルダが固
定された前記ＬＤスプリングが前記ベース部に係止されることを特徴とする光ピックアッ
プ。
【請求項５】
モノリシックレーザダイオードと、該モノリシックレーザダイオードから射出される各
レーザに対応する各受光部が一つの基板上に形成されるフォトディテクタとを備える光ピ
ックアップであって、
前記モノリシックレーザダイオードが有する各発光点が各基準軸上に位置し、前記各発
光点を含む各積層面に垂直な方向から各基準軸が、前記モノリシックレーザダイオードが
有する発光点における活性層に垂直方向の射出方向角度ずれの平均値の角度だけ活性層に
垂直な方向に傾くよう前記モノリシックレーザダイオードが配置されることを特徴とする
光ピックアップ。
【発明の詳細な説明】
【技術分野】
【０００１】
本発明は、光ディスク装置が有する光ピックアップの構造に関する。
【背景技術】
【０００２】
ＣＤやＤＶＤ等の光ディスクの再生や記録を行う光ディスク装置には光ピックアップが
内蔵されている。そして従来から、異なる種類のディスクの記録再生に対応した光ピック
アップが開発されている。
【０００３】
例えば、ＤＶＤレコーダにおいては、ＤＶＤへの記録とＣＤの再生に対応した光ピック
アップが用いられる。図７、図８にＤＶＤレコーダ用の光ピックアップの光学系を示す。
図７は側面図であり、図８は上面図である。
【０００４】
レーザダイオード１からレーザが射出される。レーザダイオード１の構成を図９に示す
。円盤状のステム３の主面３ａから突設された基台４上にサブマウント５が固定される。
サブマウント５上部の先端にはモノリシックレーザダイオード（以下、モノリシックＬＤ
）６が配置され、モノリシックＬＤ６後方のサブマウント５上にはＰＩＮダイオード７が
形成される。モノリシックＬＤ６からはＤＶＤ用波長（６５０ｎｍ帯）とＣＤ用波長（７
８０ｎｍ帯）である波長が異なるレーザが射出される。ＰＩＮダイオード７は、モノリシ
ックＬＤ６から射出されるレーザの出力を一定とする制御であるＡＰＣ（Ａｕｔｏｍａｔ
ｉｃ  Ｐｏｗｅｒ  Ｃｏｎｔｒｏｌ）のために、モノリシックＬＤ６から後方に射出され
たレーザを受光し強度を検出する素子である。また、ステム３には複数の端子２が貫通し
ており、端子２とモノリシックＬＤ６やＰＩＮダイオード７とがリード線８により接続さ
れ、端子２を介してそれぞれのダイオードに駆動電流が供給される。なお、ステム３の主
面３ａにはステム３より基台４側に位置する構造を覆うような不図示のキャップが設けら
れる。
【０００５】
図１０は、モノリシックＬＤ６周辺をレーザ射出方向側から見た（図９中の矢印Ｌ方向
に見た）図である。モノリシックＬＤ６は、ＤＶＤ用波長（６５０ｎｍ帯）とＣＤ用波長
（７８０ｎｍ帯）の２種類の波長出力が可能なレーザ構造を１チップに集積したものであ
り、共通負電極９、ＧａＡｓ基板１０、活性層１１、ＤＶＤ側ｐ電極１４、ＣＤ側ｐ電極
１５を有する。ＧａＡｓ基板１０上に、活性層１１を含む各種層が積層され、最下層にＤ
ＶＤ側ｐ電極１４、ＣＤ側ｐ電極１５が接続される。活性層１１にＤＶＤ用発光点１２、
ＣＤ用発光点１３が形成される。ＤＶＤ側ｐ電極１４にはサブマウント５上に形成された
ＤＶＤ側正電極１６が接続され、ＣＤ側ｐ電極１５にはサブマウント５上に形成されたＣ
Ｄ側正電極１７が接続される。また、ＧａＡｓ基板１０には共通負電極９が接続される。
電極に電流を流すと、ＤＶＤ用発光点１２からＤＶＤ記録用のレーザ（波長６５０ｎｍ帯
）が射出され、ＣＤ用発光点１３からＣＤ再生用のレーザ（波長７８０ｎｍ帯）が射出さ
れる。ＤＶＤ記録用のレーザは、ＣＤ再生用のレーザよりも高出力である（例えば、ＤＶ
Ｄ記録用レーザの出力１３５ｍＷ、ＣＤ再生用レーザの出力８ｍＷ）。ＤＶＤ用発光点１
２とＣＤ用発光点１３の位置は半導体ウェハープロセスで決定されるため、高精度である
。
【０００６】
以上のような構成のレーザダイオード１から射出されたＤＶＤ記録用レーザまたはＣＤ
再生用レーザはグレーティング１８で１つのメインビームと２つのサブビームに分割され
る。そして、ＰＢＳ（偏光ビームスプリッタ）１９、１/４波長板２０を通過したレーザ
は打上げミラー２１で反射され、コリメータレンズ２２に入光する。コリメータレンズ２
２に入光したレーザは平行光にされ、アパーチャ２３に入光する。アパーチャ２３は波長
選択性があり、ＤＶＤ記録用レーザ（波長６５０ｎｍ帯）を素通しさせ、ＣＤ再生用レー
ザ（波長７８０ｎｍ帯）を開口制限する。アパーチャ２３を通過したレーザは対物レンズ
２４によりディスク２５の記録面上に集光される。
【０００７】
ディスク２５で反射されたレーザは、対物レンズ２４、アパーチャ２３、コリメータレ
ンズ２２を通過し、打上げミラー２１で反射され、１/４波長板２０を通過し、ＰＢＳ１
９に入光する。ＰＢＳ１９に入光するレーザは１/４波長板２０を２回通過しているので
ＰＢＳ１９で反射され、シリンドリカルレンズ２６に入光する。
【０００８】
シリンドリカルレンズ２６は、図１１（ａ）のように曲面が凹面の円筒レンズであり、
凹面がＰＢＳ１９に対向するよう配置される。また、図１１（ｂ）はシリンドリカルレン
ズ２６を図８中矢印Ａ方向に見た図であるが、このように母線Ｓを紙面平面内で上下方向
から４５°傾けるようシリンドリカルレンズ２６は傾けられて配置される。
【０００９】
このようなシリンドリカルレンズ２６を通過したレーザはフォトディテクタ２７で受光
される。図１２に、フォトディテクタ２７を図８中矢印Ｂ方向に見た図を示す。フォトデ
ィテクタ２７は、１つのシリコン基板２８上に２波長のレーザに対応した受光部が形成さ
れた構造となっている。受光面が４分割された受光部３０は、ＤＶＤ記録用レーザのメイ
ンビームを受光する。受光面が２分割された受光部２９、３１は、ＤＶＤ記録用レーザの
サブビームを受光する。受光面が４分割された受光部３３は、ＣＤ再生用レーザのメイン
ビームを受光する。受光面が分割されていない受光部３２、３４は、ＣＤ再生用レーザの
サブビームを受光する。各受光部で受光されたレーザは電気信号に変換され、この電気信
号を用いてディスクに記録されたＲＦ信号や、フォーカスエラー信号およびトラッキング
エラー信号が生成される。
【００１０】
ここで、以上のような構成の光ピックアップには以下のような問題点がある。
【００１１】
図１３は、前述したモノリシックＬＤ６からのレーザ射出の様子を示す図である。ＤＶ
Ｄ用発光点１２またはＣＤ用発光点１３から射出されるレーザの強度分布は、活性層１１
の発光点の形状を反映して、活性層１１に垂直な方向に広がった楕円パターンとなる。レ
ーザの光強度分布は活性層１１に平行な方向、垂直な方向共にガウス分布をしており、光
強度がピーク値の所定の割合（例えば半値）以上になる部分の角度を放射角と呼ぶ。活性
層１１に平行な方向の放射角（図１３中のθ//）を以下、平行放射角と呼び、活性層１１
に垂直な方向の放射角（図１３中のθ⊥）を以下、垂直放射角と呼ぶこととする。図１４
に、ＣＤ再生用レーザとＣＤ再生用レーザよりも高出力であるＤＶＤ記録用レーザそれぞ
れにおける活性層１１に垂直な方向の光強度分布を示す。高出力であるＤＶＤ記録用レー
ザでは垂直放射角が小さく、急峻な分布となり、低出力であるＣＤ再生用レーザでは垂直
放射角が大きく、なだらかな分布となる。
【００１２】
図１５に、モノリシックＬＤ６の概略側面図を示す。ここで、図１５のように、モノリ
シックＬＤ６の各発光点から射出されるレーザのうち光強度がピーク値となるレーザの射
出方向（以下、単に射出方向と呼ぶ）が、モノリシックＬＤ６の各発光点からフォトディ
テクタ２７の受光部３０（ＤＶＤメインビーム用）または受光部３３（ＣＤメインビーム
用）の中心に至る光路上の基準軸（以下、単に基準軸と呼ぶ）から、モノリシックＬＤ６
の活性層１１に垂直方向にずれることが起こりうる。このずれ角度を以下、射出角度（図
１５中のΔθ⊥）と呼ぶ。このずれは、モノリシックＬＤ６の発光点の製造誤差、および
モノリシックＬＤ６自体の取り付け誤差に起因する。
【００１３】
図１５のように射出方向が基準軸から活性層に垂直方向にずれた場合の対物レンズ２４
射出直後の光強度分布の上面図を図１６（ａ）に示す。また、射出方向が基準軸からずれ
ていない場合、および図１５のようにずれた場合の対物レンズ２４射出直後の光強度分布
の側面断面図を、図１６（ｂ）に示す。なお、図１６中のＤｏｂは対物レンズ２４射出直
後のレーザの径を示す。このように、レーザの射出方向が基準軸から活性層に垂直方向に
ずれると、アパーチャ２３や対物レンズ２４の固定具により絞られた対物レンズ２４射出
直後の光強度分布の偏りが生じ、光強度の重心もずれる。
【００１４】
このような対物レンズ２４射出直後の光強度分布のずれに対応して、フォトディテクタ
２７の受光部における光強度分布にもずれが生じる。図１５のように射出方向が基準軸か
ら活性層に垂直方向にずれた場合の、受光部３０（ＤＶＤメインビーム用）および受光部
３３（ＣＤメインビーム用）における光強度分布と光強度重心位置（×印）を図１７（ａ
）に示す。このように、レーザの射出方向が基準軸から活性層に垂直方向にずれると、受
光部における光強度分布がＹ軸方向に偏り、光強度重心も受光部の中心からＹ軸方向にず
れる。
【００１５】
ここで図１７のように、受光部３０の４つの受光面をａ、ｂ、ｃ、ｄとし、受光部３３
の４つの受光面をＡ、Ｂ、Ｃ、Ｄとすれば、下記（１）式、（２）式で表される受光バラ
ンスが理想的には０となるようフォトディテクタ２７を調整する必要がある。
ＰＤＹ1＝（（Ｉa＋Ｉb）―（Ｉc＋Ｉd））/（Ｉa＋Ｉb＋Ｉc＋Ｉd）×１００（１）
ＰＤＹ2＝（（ＩA＋ＩB）―（ＩC＋ＩD））/（ＩA＋ＩB＋ＩC＋ＩD）×１００（２）
ただし、ＰＤＹ1[％]：ＤＶＤ受光部の受光バランス、ＰＤＹ2[％]：ＣＤ受光部の受光
バランス、Ｉi：受光面ｉにおける光強度
ここで図１７（ａ）において、ＤＶＤ受光部である受光部３０における光強度重心が受
光部３０の中心に位置するようフォトディテクタ２７をＹ軸方向に移動させて調整した場
合を図１７（ｂ）に示す。これにより、ＤＶＤ受光部である受光部３０における受光バラ
ンス（上記（１）式）は０となるが、ＣＤ受光部である受光部３３においては、光強度重
心の受光部３３の中心からのずれが残存し、これに対応して受光バランス（上記（２）式
）が０とならず残存することとなる。これを受光バランス残差と呼ぶ。モノリシックＬＤ
の発光点の製造誤差やモノリシックＬＤ自体の取り付け誤差により、レーザの射出角度に
は光ピックアップ間にばらつきがあり、射出角度の大きさによっては図１７（ａ）の状態
における光強度重心ずれが大きく、フォトディテクタ２７移動調整後の上記受光バランス
残差が許容範囲を超えてしまう場合がある。受光バランス残差が許容範囲を超えると、デ
ィスクの読み取りやサーボ動作に悪影響を及ぼすので調整が必要であるが、受光バランス
残差はフォトディテクタ２７の回転調整では除去できないため、受光バランス残差が許容
範囲内になるようにフォトディテクタ２７以外の光学系の調整をすることが必要となり、
コストアップの要因となる。
【００１６】
なお、特許文献１には、ＬＤからのレーザ射出方向の活性層に平行方向の基準軸からの
ずれによる受光バランスずれを、ＬＤを傾けて調整することで受光バランスを調整するも
のが開示されているが、光ピックアップ毎に調整する必要があり、コストアップが問題と
なる。
【特許文献１】特開２００３−２２５４３号公報
【発明の開示】
【発明が解決しようとする課題】
【００１７】
上記問題点を鑑みて本発明はなされたものであり、コストアップを抑えられる光ピック
アップを提供することを目的とする。
【課題を解決するための手段】
【００１８】
上記目的を達成するために本発明の光ピックアップは、モノリシックレーザダイオード
と、該モノリシックレーザダイオードから射出される各レーザに対応する各受光部が一つ
の基板上に形成されるフォトディテクタとを備える光ピックアップであって、
前記モノリシックレーザダイオードが有する各発光点が各基準軸上に位置し、前記各発
光点を含む各積層面に垂直な方向から各基準軸が、前記モノリシックレーザダイオードが
有する発光点における活性層に垂直方向の射出方向角度ずれの平均値の角度だけ活性層に
垂直な方向に傾くよう前記モノリシックレーザダイオードが配置されることを特徴とする
。
【００１９】
例えば、ステムと、該ステムの主面から突設される基台と、該基台上に配置されるサブ
マウントと、該サブマウント上部に配置されるモノリシックレーザダイオードとを有する
レーザダイオードと、前記モノリシックレーザダイオードから射出される各レーザに対応
する各受光部が一つの基板上に形成されるフォトディテクタとを備える光ピックアップで
あって、
前記基台が有する前記サブマウントが取り付けられる取り付け面は、前記ステムの主面
に垂直な軸に対して、前記モノリシックレーザダイオードが有する発光点における活性層
に垂直方向の射出方向角度ずれの平均値に対応した角度で傾くよう形成されており、
前記モノリシックレーザダイオードが有する各発光点が各基準軸上に位置し、各基準軸
と前記ステムの主面に垂直な軸とが略平行となるよう前記レーザダイオードが配置される
ような光ピックアップであればよい。
【００２０】
また、例えば、ステムと、該ステムの主面から略垂直に突設される基台と、該基台上に
配置されるサブマウントと、該サブマウント上部に配置されるモノリシックレーザダイオ
ードとを有するレーザダイオードと、該レーザダイオードを挿入する孔を有するＬＤホル
ダと、前記モノリシックレーザダイオードから射出される各レーザに対応する各受光部が
一つの基板上に形成されるフォトディテクタとを備える光ピックアップであって、
前記ＬＤホルダが有する前記孔の中心を通る軸線が前記ＬＤホルダの上面および下面と
平行な軸から、前記モノリシックレーザダイオードが有する発光点における活性層に垂直
方向の射出方向角度ずれの平均値に対応した角度で傾くよう前記孔は形成されており、
前記モノリシックレーザダイオードが有する各発光点が各基準軸上に位置し、各基準軸
と前記ＬＤホルダの上面および下面と平行な軸とが略平行となるよう前記レーザダイオー
ドが挿入された前記ＬＤホルダが配置されるような光ピックアップであればよい。
【００２１】
また、例えば、ステムと、該ステムの主面から略垂直に突設される基台と、該基台上に
配置されるサブマウントと、該サブマウント上部に配置されるモノリシックレーザダイオ
ードとを有するレーザダイオードと、該レーザダイオードを挿入する孔と上面および下面
に突設された突起部とを有するＬＤホルダと、基部と該基部の両端から折り曲げられて形
成される板片部とを有するＬＤスプリングと、前記モノリシックレーザダイオードから射
出される各レーザに対応する各受光部が一つの基板上に形成されるフォトディテクタとを
備える光ピックアップであって、
前記ＬＤホルダが有する前記孔の中心を通る軸線が前記ＬＤホルダの上面および下面と
略平行となるよう前記孔が形成され、
前記板片部は前記突起部がはまる孔を有し、前記板片部が各基準軸に略平行となるよう
前記ＬＤスプリングは配置され、
前記モノリシックレーザダイオードが有する各発光点が各基準軸上に位置し、前記各発
光点を含む各積層面に垂直な方向から各基準軸が、前記モノリシックレーザダイオードが
有する発光点における活性層に垂直方向の射出方向角度ずれの平均値の角度だけ活性層に
垂直な方向に傾くよう、前記突起部が前記板片部が有する孔にはまることで前記レーザダ
イオードが挿入された前記ＬＤホルダが前記ＬＤスプリングに固定されるような光ピック
アップであればよい。
【００２２】
また、例えば、ステムと、該ステムの主面から略垂直に突設される基台と、該基台上に
配置されるサブマウントと、該サブマウント上部に配置されるモノリシックレーザダイオ
ードとを有するレーザダイオードと、該レーザダイオードを挿入する孔と上面および下面
に突設された突起部とを有するＬＤホルダと、基部と該基部の端部から略垂直に折り曲げ
られて形成される第一の板片部と第二の板片部とを有するＬＤスプリングと、該ＬＤスプ
リングが係止されるベース部と、前記モノリシックレーザダイオードから射出される各レ
ーザに対応する各受光部が一つの基板上に形成されるフォトディテクタとを備える光ピッ
クアップであって、
前記ＬＤホルダが有する前記孔の中心を通る軸線が前記ＬＤホルダの上面および下面と
略平行となるよう前記孔が形成され、
前記第一の板片部および前記第二の板片部は前記突起部がはまる孔を有し、前記第一の
板片部と前記ＬＤホルダの上面および前記第二の板片部と前記ＬＤホルダの下面が略平行
となるよう、前記レーザダイオードが挿入された前記ＬＤホルダが前記ＬＤスプリングに
固定され、
前記ベース部は前記基部が当接される当て面を有し、該当て面は各基準軸に垂直な軸か
ら前記モノリシックレーザダイオードが有する発光点における活性層に垂直方向の射出方
向角度ずれの平均値に対応した角度で傾くよう形成され、
前記モノリシックレーザダイオードが有する各発光点が各基準軸上に位置するよう、前
記基部が前記当て面に当接され、前記レーザダイオードが挿入された前記ＬＤホルダが固
定された前記ＬＤスプリングが前記ベース部に係止されるような光ピックアップであれば
よい。
【００２３】
このような構成の光ピックアップによれば、光ピックアップ間の平均的な受光バランス
残差を小さく抑えられ、受光バランス残差が許容範囲を超える光ピックアップの数を抑え
ることができ、フォトディテクタ移動調整後の調整を不要とし、コストアップを抑えるこ
とができる。
【発明の効果】
【００２４】
本発明の光ピックアップにより、コストアップを抑えることができる。
【発明を実施するための最良の形態】
【００２５】
以下、本発明の実施形態について図面を参照しつつ説明する。ここでも、ＤＶＤレコー
ダ用の光ピックアップを例として説明する。図１（ａ）に、本発明に係る光ピックアップ
の上面図を、図１（ｂ）に、本発明に係る光ピックアップの側面図を示す（ただし、図１
（ｂ）でレーザダイオード１は光ピックアップから取り外された状態）。また、図２に、
本発明に係る光ピックアップのうち、レーザダイオード１のベース部３８への取り付け部
分の下方から見た分解斜視図を示す。なお、本発明に係る光ピックアップの光学系の構成
は前述した図７、図８と同様である。
【００２６】
レーザダイオード１は、前述した図９のような構成であり、モノリシックＬＤ６、サブ
マウント５等のステム３より基台４側に位置する構造を覆うように、ステム３の主面３ａ
にキャップ３５が取り付けられている。キャップ３５の前面にはレーザが通過するための
孔が設けられる。
【００２７】
ＬＤホルダ３６には前後方向に貫通する孔３６ａおよび孔３６ｂが設けられ、孔３６ａ
の径は孔３６ｂのそれよりも大きい。孔３６ａおよび孔３６ｂの境界に位置する当接面３
６ｃに、ステム３の主面３ａを当接させるようにステム３を孔３６ａに圧入することで、
レーザダイオード１をＬＤホルダ３６に取り付ける。このとき、孔３６ｂにキャップ３５
が覆われる形となる。また、ＬＤホルダ３６の上面３６ｄおよび下面３６ｅの左右方向略
中央部には突起部３６ｆが突設される。
【００２８】
ＬＤスプリング３７は、一枚の金属薄板で形成される板ばね材である。ＬＤスプリング
３７は、基部３７ａと、基部３７ａ上下端に基部３７ａに略垂直に折り曲げられて形成さ
れる板片部３７ｂおよび３７ｃとを有し、これらで側面視略コの字状を形成している。ま
た、基部３７ａ下端から板片部３７ｃとは逆方向に側面視略Ｌ字状に折り曲げられて係止
部３７ｅが板片部３７ｃを挟むように左右にそれぞれ形成される。基部３７ａの略中央部
には孔３７ｆが設けられる。板片部３７ｂおよび３７ｃの左右方向略中央部には孔３７ｄ
が設けられ、この孔３７ｄにＬＤホルダ３６の突起部３６ｆがはまることにより、ＬＤホ
ルダ３６はＬＤスプリング３７に保持される。
【００２９】
ベース部３８は、内部にグレーティング１８、ＰＢＳ１９、１/４波長板２０、打上げ
ミラー２１、コリメータレンズ２２、シリンドリカルレンズ２６（いずれも不図示）を備
え、側面にはフォトディテクタ２７（不図示）が取り付けられる。そして、ベース部３８
の上部には、アパーチャ２３（不図示）、対物レンズ２４を備えるレンズホルダ３９が位
置する。ベース部３８は一端に壁部３８ａを有し、壁部３８ａの左右方向略中央部には略
Ｕ字状の開口部３８ｂが設けられる。ＬＤスプリング３７の基部３７ａを、壁部３８ａが
有する当て面３８ｃに当接させながら、ＬＤスプリング３７の係止部３７ｅを、開口部３
８ｂを挟む壁部３８ａの左右両側下部に引っ掛けることで、ＬＤスプリング３７がベース
部３８に固定される。
【００３０】
以上のようにしてレーザダイオード１はベース部３８と一体化される。レーザダイオー
ド１から射出されたレーザは、キャップ３５が有する孔、孔３６ａ、孔３６ｂ、孔３７ｆ
、開口部３８ｂを通過し、ベース部３８内の光学系を通過し、対物レンズ２４から射出さ
れ、ディスク２５で反射され、対物レンズ２４に再び入光し、ベース部３８内の光学系を
通過し、ベース部３８側面に取り付けられたフォトディテクタ２７で受光される。
【００３１】
次に、このような構造の光ピックアップについて、本発明の目的を達成するための各部
構造の実施例について説明する。
（第１実施例）
図３に、第１実施例であるレーザダイオード１の側面断面図を示す。ただし、前述の構
造によりレーザダイオード１は図示しないＬＤホルダ３６、ＬＤスプリング３７によりベ
ース部３８に一体化されているものとする。
【００３２】
ここで、モノリシックＬＤ６はスペックとして各発光点の射出方向精度をもっている。
活性層に垂直方向の射出方向精度は、発光点を含む積層面に垂直な方向からの射出方向の
活性層に垂直方向の角度ずれの平均値およびばらつきで表される。ここで、ＤＶＤ用発光
点１２における活性層に垂直方向の射出方向角度ずれの平均値をθAとする。
【００３３】
ステム３から突設された基台４上先端にサブマウント５が取り付けられ、サブマウント
５の上部先端にモノリシックＬＤ６が取り付けられる。キャップ３５はステム３の主面３
ａ上に設けられ、キャップ３５の前面にレーザが通過するための孔３５ａが設けられる。
基台４において、サブマウント５が取り付けられる取り付け面４ａは、ステム３の主面３
ａに垂直な軸に対して−θA傾くよう形成されている。そして、図３のように、各基準軸
上にモノリシックＬＤ６の各発光点が位置し、各基準軸と上記ステム３の主面３ａに垂直
な軸が略平行となるようレーザダイオード１が配置され、ベース部３８と一体化される。
【００３４】
これにより、各発光点を含む各積層面に垂直な方向から各基準軸が活性層に垂直な方向
にθAずれるようモノリシックＬＤ６が配置されることになり、ＤＶＤ用発光点１２の平
均的な射出方向が基準軸と一致する。従って、ＤＶＤ用発光点１２から射出されたレーザ
がフォトディテクタ２７の受光部３０（ＤＶＤメインビーム用）で受光された場合、平均
的に光強度重心が受光部３０の中心に一致し、受光バランスが平均的に略０となる。この
とき、ＣＤ用発光点１３の射出方向角度ずれの平均値がＤＶＤ用発光点１２と同じθAで
あれば、ＣＤ用発光点１３の平均的な射出方向も基準軸と一致し、フォトディテクタ２７
の受光部３３（ＣＤメインビーム用）における受光バランスも平均的に略０となり、平均
的な受光バランス残差が略０となる。
【００３５】
また、ＣＤ用発光点１３の射出方向角度ずれの平均値がＤＶＤ用発光点１２と異なる場
合は、ＣＤ用発光点１３の平均的な射出方向は基準軸からずれることになる。しかし、図
１４において前述したようにＤＶＤ記録用レーザよりも低出力であるＣＤ再生用レーザで
は垂直放射角が大きく、活性層に垂直方向の光強度分布はなだらかな分布となるため、平
均的な射出方向が基準軸からずれても、フォトディテクタ２７の受光部３３（ＣＤメイン
ビーム用）における光強度重心の受光部中心からのずれは小さく、受光バランスずれも小
さい。従って、平均的な受光バランス残差も小さく、問題とはならない。
【００３６】
このような第１実施例によれば、光ピックアップ間の平均的な受光バランス残差を小さ
く抑えられ、受光バランス残差が許容範囲を超える光ピックアップの数を抑えることがで
き、フォトディテクタ２７移動調整後の調整を不要とし、コストアップを抑えることがで
きる。
（第２実施例）
図４に、第２実施例であるレーザダイオード１とＬＤホルダ３６の側面断面図を示す。
ただし、前述の構造によりレーザダイオード１とＬＤホルダ３６は不図示のＬＤスプリン
グ３７によりベース部３８に一体化されているものとする。
【００３７】
レーザダイオード１においては、ステム３の主面３ａから基台４が略垂直に突設され、
基台４上先端にサブマウント５が取り付けられ、サブマウント５の上部先端にモノリシッ
クＬＤ６が取り付けられる。キャップ３５はステム３の主面３ａ上に設けられ、キャップ
３５の前面にレーザが通過するための孔３５ａが設けられる。
【００３８】
ここで、上記第１実施例と同様に、モノリシックＬＤ６のＤＶＤ用発光点１２における
活性層に垂直方向の射出方向角度ずれの平均値をθAとする。このとき、ＬＤホルダ３６
の孔３６ａおよび孔３６ｂの中心を通る軸線が、ＬＤホルダ３６の上面３６ｄおよび下面
３６ｅと平行な軸から−θAだけ傾くよう孔３６ａおよび孔３６ｂが形成されている。そ
して、ステム３の主面３ａを当接面３６ｃに当接させるよう孔３６ａにステム３を圧入す
る。このときキャップ３５は孔３６ｂに覆われる形となる。そして、図４のように、各基
準軸上にモノリシックＬＤ６の各発光点が位置し、各基準軸と上記ＬＤホルダ３６の上面
３６ｄおよび下面３６ｅと平行な軸が略平行となるようレーザダイオード１が圧入された
ＬＤホルダ３６が配置され、ベース部３８と一体化される。
【００３９】
これにより、各発光点を含む各積層面に垂直な方向から各基準軸が活性層に垂直な方向
にθAずれるようモノリシックＬＤ６が配置されることになり、ＤＶＤ用発光点１２の平
均的な射出方向が基準軸と一致する。従って、ＤＶＤ用発光点１２から射出されたレーザ
がフォトディテクタ２７の受光部３０（ＤＶＤメインビーム用）で受光された場合、平均
的に光強度重心が受光部３０の中心に一致し、受光バランスが平均的に略０となる。この
とき、ＣＤ用発光点１３の射出方向角度ずれの平均値がＤＶＤ用発光点１２と同じθAで
あれば、ＣＤ用発光点１３の平均的な射出方向も基準軸と一致し、フォトディテクタ２７
の受光部３３（ＣＤメインビーム用）における受光バランスも平均的に略０となり、平均
的な受光バランス残差が略０となる。また、ＣＤ用発光点１３の射出方向角度ずれの平均
値がＤＶＤ用発光点１２と異なる場合でも、前述した理由で平均的な受光バランス残差は
小さく抑えられる。
【００４０】
このような第２実施例によれば、光ピックアップ間の平均的な受光バランス残差を小さ
く抑えられ、受光バランス残差が許容範囲を超える光ピックアップの数を抑えることがで
き、フォトディテクタ２７移動調整後の調整を不要とし、コストアップを抑えることがで
きる。
（第３実施例）
図５に、第３実施例であるレーザダイオード１、ＬＤホルダ３６、ＬＤスプリング３７
の側面断面図を示す。ただし、前述の構造によりレーザダイオード１、ＬＤホルダ３６、
ＬＤスプリング３７はＬＤスプリング３７の係止部３７ｅによりベース部３８に一体化さ
れているものとする。
【００４１】
レーザダイオード１においては、ステム３の主面３ａから基台４が略垂直に突設され、
基台４上先端にサブマウント５が取り付けられ、サブマウント５の上部先端にモノリシッ
クＬＤ６が取り付けられる。キャップ３５はステム３の主面３ａ上に設けられ、キャップ
３５の前面にレーザが通過するための孔３５ａが設けられる。
【００４２】
ＬＤホルダ３６においては、孔３６ａおよび孔３６ｂの中心を通る軸線がＬＤホルダ３
６の上面３６ｄおよび下面３６ｅと略平行となるよう孔３６ａおよび孔３６ｂが形成され
る。そして、ステム３の主面３ａを当接面３６ｃに当接させるよう孔３６ａにステム３を
圧入する。このときキャップ３５は孔３６ｂに覆われる形となる。また、ＬＤホルダ３６
の上面３６ｄおよび下面３６ｅには突起部３６ｆが前後方向にずれた位置で突設される。
【００４３】
ＬＤスプリング３７の板片部３７ｂおよび板片部３７ｃには前後方向にずれた位置でそ
れぞれ孔３７ｄが設けられる。そして、図５のように、ＬＤスプリング３７は、板片部３
７ｂおよび３７ｃが各基準軸に略平行となるよう配置され、係止部３７ｅによりベース部
３８に一体化される。ここで、上記第１実施例と同様に、モノリシックＬＤ６のＤＶＤ用
発光点１２における活性層に垂直方向の射出方向角度ずれの平均値をθAとする。そして
、図５のように、各基準軸上にモノリシックＬＤ６の各発光点が位置し、各発光点を含む
各積層面に垂直な方向から各基準軸が活性層に垂直な方向にθAずれるようモノリシック
ＬＤ６が配置されるよう、突起部３６ｆが孔３７ｄにはまり、レーザダイオード１が圧入
されたＬＤホルダ３６がＬＤスプリング３７に固定され、ベース部３８と一体化される。
【００４４】
これにより、ＤＶＤ用発光点１２を含む積層面に垂直な方向から基準軸が活性層に垂直
な方向にθAずれるようモノリシックＬＤ６が配置されることになり、ＤＶＤ用発光点１
２の平均的な射出方向が基準軸と一致する。従って、ＤＶＤ用発光点１２から射出された
レーザがフォトディテクタ２７の受光部３０（ＤＶＤメインビーム用）で受光された場合
、平均的に光強度重心が受光部３０の中心に一致し、受光バランスが平均的に略０となる
。このとき、ＣＤ用発光点１３の射出方向角度ずれの平均値がＤＶＤ用発光点１２と同じ
θAであれば、ＣＤ用発光点１３の平均的な射出方向も基準軸と一致し、フォトディテク
タ２７の受光部３３（ＣＤメインビーム用）における受光バランスも平均的に略０となり
、平均的な受光バランス残差が略０となる。また、ＣＤ用発光点１３の射出方向角度ずれ
の平均値がＤＶＤ用発光点１２と異なる場合でも、前述した理由で平均的な受光バランス
残差は小さく抑えられる。
【００４５】
このような第３実施例によれば、光ピックアップ間の平均的な受光バランス残差を小さ
く抑えられ、受光バランス残差が許容範囲を超える光ピックアップの数を抑えることがで
き、フォトディテクタ２７移動調整後の調整を不要とし、コストアップを抑えることがで
きる。
（第４実施例）
図６に、第４実施例であるレーザダイオード１、ＬＤホルダ３６、ＬＤスプリング３７
およびベース部３８が有する壁部３８ａの側面断面図を示す。
【００４６】
レーザダイオード１においては、ステム３の主面３ａから基台４が略垂直に突設され、
基台４上先端にサブマウント５が取り付けられ、サブマウント５の上部先端にモノリシッ
クＬＤ６が取り付けられる。キャップ３５はステム３の主面３ａ上に設けられ、キャップ
３５の前面にレーザが通過するための孔３５ａが設けられる。
【００４７】
ＬＤホルダ３６においては、孔３６ａおよび孔３６ｂの中心を通る軸線がＬＤホルダ３
６の上面３６ｄおよび下面３６ｅと略平行となるよう孔３６ａおよび孔３６ｂが形成され
る。そして、ステム３の主面３ａを当接面３６ｃに当接させるよう孔３６ａにステム３を
圧入する。このときキャップ３５は孔３６ｂに覆われる形となる。また、ＬＤホルダ３６
の上面３６ｄおよび下面３６ｅには突起部３６ｆが前後方向に一致した位置で突設される
。
【００４８】
ＬＤスプリング３７の板片部３７ｂおよび板片部３７ｃは基部３７ａと略垂直であり、
板片部３７ｂおよび板片部３７ｃには前後方向に一致した位置でそれぞれ孔３７ｄが設け
られる。そして、ＬＤホルダ３６の上面３６ｄと板片部３７ｂおよびＬＤホルダ３６の下
面３６ｅと板片部３７ｃが略平行となるよう、突起部３６ｆが孔３７ｄにはまり、レーザ
ダイオード１が圧入されたＬＤホルダ３６がＬＤスプリング３７に固定される。
【００４９】
ここで、上記第１実施例と同様に、モノリシックＬＤ６のＤＶＤ用発光点１２における
活性層に垂直方向の射出方向角度ずれの平均値をθAとする。このとき、図６のように、
ベース部３８が有する壁部３８ａの当て面３８ｃは、各基準軸に垂直な軸から−θAだけ
傾くよう形成される。そして、各基準軸上にモノリシックＬＤ６の各発光点が位置するよ
う、ＬＤスプリング３７の基部３７ａを当て面３８ｃに当接させ、係止部３７ｅを、開口
部３８ｂを挟む壁部３８ａの両側下部に引っ掛けることで、レーザダイオード１が圧入さ
れたＬＤホルダ３６を保持するＬＤスプリング３７がベース部３８に固定される。
【００５０】
これにより、各発光点を含む各積層面に垂直な方向から各基準軸が活性層に垂直な方向
にθAずれるようモノリシックＬＤ６が配置されることになり、ＤＶＤ用発光点１２の平
均的な射出方向が基準軸と一致する。従って、ＤＶＤ用発光点１２から射出されたレーザ
がフォトディテクタ２７の受光部３０（ＤＶＤメインビーム用）で受光された場合、平均
的に光強度重心が受光部３０の中心に一致し、受光バランスが平均的に略０となる。この
とき、ＣＤ用発光点１３の射出方向角度ずれの平均値がＤＶＤ用発光点１２と同じθAで
あれば、ＣＤ用発光点１３の平均的な射出方向も基準軸と一致し、フォトディテクタ２７
の受光部３３（ＣＤメインビーム用）における受光バランスも平均的に略０となり、平均
的な受光バランス残差が略０となる。また、ＣＤ用発光点１３の射出方向角度ずれの平均
値がＤＶＤ用発光点１２と異なる場合でも、前述した理由で平均的な受光バランス残差は
小さく抑えられる。
【００５１】
このような第４実施例によれば、光ピックアップ間の平均的な受光バランス残差を小さ
く抑えられ、受光バランス残差が許容範囲を超える光ピックアップの数を抑えることがで
き、フォトディテクタ２７移動調整後の調整を不要とし、コストアップを抑えることがで
きる。
【図面の簡単な説明】
【００５２】
【図１】は、本発明に係る光ピックアップの上面図および側面図である。
【図２】は、本発明に係る光ピックアップにおけるレーザダイオード取り付け部分の下方から見た分解斜視図である。
【図３】は、本発明の第１実施例であるレーザダイオードの側面断面図である。
【図４】は、本発明の第２実施例であるレーザダイオードおよびＬＤホルダの側面断面図である。
【図５】は、本発明の第３実施例であるレーザダイオード、ＬＤホルダおよびＬＤスプリングの側面断面図である。
【図６】は、本発明の第４実施例であるレーザダイオード、ＬＤホルダ、ＬＤスプリングおよびベース部が有する壁部の側面断面図である。
【図７】は、従来および本発明の光ピックアップにおける光学系の側面図である。
【図８】は、従来および本発明の光ピックアップにおける光学系の上面図である。
【図９】は、レーザダイオードの斜視図である。
【図１０】は、モノリシックＬＤ周辺をレーザ射出方向側から見た図である。
【図１１】は、シリンドリカルレンズを示す図である。
【図１２】は、フォトディテクタを示す図である。
【図１３】は、モノリシックＬＤからのレーザ射出の様子を示す図である。
【図１４】は、モノリシックＬＤから射出されたレーザの活性層に垂直方向の光強度分布を示す図である。
【図１５】は、モノリシックＬＤから射出されたレーザの基準軸からの活性層に垂直方向の射出方向ずれを示す図である。
【図１６】は、モノリシックＬＤから射出されたレーザの基準軸からの活性層に垂直方向の射出方向ずれに伴う対物レンズ射出直後の光強度分布ずれを示す図である。
【図１７】は、フォトディテクタの移動調整による受光バランス調整を示す図である。
【符号の説明】
【００５３】
１    レーザダイオード
２    端子
３    ステム
４    基台
５    サブマウント
６    モノリシックレーザダイオード
１１    活性層
１２    ＤＶＤ用発光点
１３    ＣＤ用発光点
１８    グレーティング
１９    ＰＢＳ
２０    １/４波長板
２１    打上げミラー
２２    コリメータレンズ
２３    アパーチャ
２４    対物レンズ
２５    ディスク
２６    シリンドリカルレンズ
２７    フォトディテクタ
２８    シリコン基板
２９〜３４    受光部
３５    キャップ
３６    ＬＤホルダ
３７    ＬＤスプリング
３８    ベース部
【図１】
2007058902.tif 000003
【図２】
2007058902.tif 000004
【図３】
2007058902.tif 000005
【図４】
2007058902.tif 000006
【図５】
2007058902.tif 000007
【図６】
2007058902.tif 000008
【図７】
2007058902.tif 000009
【図８】
2007058902.tif 000010
【図９】
2007058902.tif 000011
【図１０】
2007058902.tif 000012
【図１１】
2007058902.tif 000013
【図１２】
2007058902.tif 000014
【図１３】
2007058902.tif 000015
【図１４】
2007058902.tif 000016
【図１５】
2007058902.tif 000017
【図１６】
2007058902.tif 000018
【図１７】
2007058902.tif 000019